(57)【要約】【課題】本発明は、リフト装置によるリフト作業において、車両のリフトアップ位置への誘導を容易にでき、また、リフト装置の支持部を、容易に、車両のリフトアップポイントに位置させることができるリフト装置を得ることを目的とする。【解決手段】車両を昇降させる点検整備用のリフト装置本体１と、表示装置４と、複数の車両の車両リフトアップ位置などの車両データをそれぞれ記憶した演算記憶処理装置３と、前記リフト装置本体１により昇降される車両の車両リフトアップ位置を前記演算記憶処理装置３から取得し、前記表示装置４に表示させる手段と、前記車両の現在位置を前記表示装置４に表示させる手段とよりなり、前記表示装置４に、前記車両の車両リフトアップ位置と現在位置とを表示させることにより、前記車両の車両リフトアップ位置への誘導を補助することを特徴とする。【選択図】図１
2018090374.tif 000002
【特許請求の範囲】
【請求項１】
車両を昇降させる点検整備用のリフト装置本体と、
表示装置と、
複数の車両の車両リフトアップ位置などの車両データをそれぞれ記憶した演算記憶処理装置と、
前記リフト装置本体により昇降される車両の車両リフトアップ位置を前記演算記憶処理装置から取得し、前記表示装置に表示させる手段と、
前記車両の現在位置を前記表示装置に表示させる手段とよりなり、
前記表示装置に、前記車両の車両リフトアップ位置と現在位置とを表示させることにより、前記車両の車両リフトアップ位置への誘導を補助することを特徴とする車両の点検整備用リフト装置。
【請求項２】
車両を昇降させる点検整備用のリフト装置本体と、
表示装置と、
複数の車両の車両データをそれぞれ記憶した演算記憶処理装置と、
前記リフト装置本体により昇降される車両の車両データを前記演算記憶処理装置から取得し、前記表示装置に表示させる手段とよりなることを特徴とする車両の点検整備用リフト装置。
【請求項３】
前記車両データは、前記車両の車両リフトアップ位置、又は、リフトポイント位置、又は、前記リフト装置に装着する、車両を下から支持する受金であることを特徴とする請求項２に記載の車両の点検整備用リフト装置。
【請求項４】
車両を昇降させる点検整備用のリフト装置本体と、
表示装置と、
前記リフト装置本体により昇降される車両のリフトポイントを撮像し、前記表示装置に表示させる手段とを有することを特徴とする車両の点検整備リフト装置。
【請求項５】
前記リフト装置の所望の場所に、人がいるか否かを検知する検知装置と、
該検知装置により人を検知した場合に、前記リフト装置が作動しないように規制する規制手段とを更に有することを特徴とする請求項１乃至４のいずれか１に記載の車両の点検整備リフト装置。
【請求項６】
前記リフト装置の前記車両を支持する支持部を、前記車両のリフトポイントの所望の位置に移動させる移動手段を有することを特徴とする請求項１乃至５のいずれか１に記載の車両の点検整備用リフト装置。
【請求項７】
車両を昇降させる点検整備用のリフト装置本体と、
表示装置と、
複数の車両の車両特定情報と対にして、対応する車両の車両データをそれぞれ記憶した記憶部を有する演算記憶処理装置と、
該演算記憶処理装置に設けた、前記リフト装置本体により昇降させる車両の車両特定情報から、該車両特定情報に対にして記憶した車両データを取得する車両データ取得手段と、
該車両データ取得手段により得られた車両データを前記表示装置に表示させる表示手段とよりなることを特徴とする車両の点検整備用リフト装置。
【請求項８】
前記車両の現在位置を取得する車両位置情報取得手段を更に設けると共に、
該前記車両の現在位置を表示させる表示手段を更に設けたことを特徴とする請求項７に記載の車両の点検整備用リフト装置。
【請求項９】
前記リフト装置本体により昇降する車両の車両特定情報を取得する車両特定手段を更に有することを特徴とする請求項７または８に記載の車両の点検整備用リフト装置。
【発明の詳細な説明】
【技術分野】
【０００１】
本発明は自動車等の車両の点検や整備において、車両を持ち上げて、例えば、エンジン部分の点検整備や交換や、ブレーキ回り等の点検整備や部品の交換などを行うリフト装置に関する。
【背景技術】
【０００２】
従来のこの種のリフト装置として、例えば床面の左右に支柱を立設して、該左右の支柱に昇降体をそれぞれ昇降制御可能に設け、該左右の昇降体の前後部にそれぞれ伸縮可能な支承アームを回動可能に枢着して、これら各支承アームの先端部に受金（アタッチメント）をそれぞれ取付け、これら各受金を車両の下面の４か所の所望の位置の支承部（リフトポイント）にそれぞれ当接し、そして、前記左右の昇降体を同期して上昇させて、該車両を持ち上げるようにしたものが知られている（例えば、特許文献１参照）。
【０００３】
なお、前記左右の支柱に昇降体を設ける代わりに、支柱自体を、床面に対して昇降自在とし、該支柱の上部に支承アームを設けたタイプのリフト装置もある。
【先行技術文献】
【特許文献】
【０００４】
【特許文献１】特開２００２−６８６８２号公報
【発明の概要】
【発明が解決しようとする課題】
【０００５】
この従来のリフト装置においては、まず、点検整備する車両を、左右の支柱間の、リフトされるべき車両停止位置（車両リフトアップ位置）に移動して停止させて、そして、前記車両の下面の４隅に設けられたリフトポイントの下方に、各支承アームの先端部に取り付けた受金をそれぞれ位置させて、それから、左右の昇降体を同期して上昇させて、前記４つの受金により前記４隅のリフトポイントを支持（又は支承）するようにし、そして、更に前記昇降体を、車両が所望の高さとなるまで上昇（リフトアップ）させて、車両の点検整備を行っていた。
【０００６】
しかしながら、前記リフト装置において、車両をリフトアップして点検整備作業を行う場合、車両の重量や重心バランスがリフト装置の能力範囲内であり、かつ、前記リフト装置に対してできるだけ左右均等に、そして、前記車両の重心位置が前記リフト装置の定める重心位置範囲内でリフトアップできるように、車両を、前記左右の支柱間の所望の車両停止位置（車両リフトアップ位置）に車両を進入させて停止させる必要があるが、車両がリフト装置の能力範囲以外の場合には、リフトアップできなかったり、リフト装置を破損する場合があり、また、車両のリフトアップ位置がずれた場合には、車両落下事故につながる場合がある。
【０００７】
また、前記車両が車両リフトアップ位置に停止した後、リフトアップ作業を開始する前に、前記車両のリフトポイントに合わせて、前記各支承アームの先端部にそれぞれ適正な受金を取り付けて、それから、リフトアップを開始する必要があるが、適正な受金を使用しない場合には、正しく車両を支持、支承できず、車両の損傷や車両の落下事故につながる場合がある。
【０００８】
また、車両のリフトポイントの下方に、正確に、支承アームの先端部の受金を位置させる必要があるが、車両の下面は暗く、そして、車両のリフトポイントが車両の下面の奥にある場合や、車両の下面と地面との隙間が狭い場合などには、作業者にとって、リフトポイントが確認しづらく、正確にリフトポイントの下方に受金を位置させることが難しい場合がある。
【０００９】
また、車両のリフトポイントに受金を装着できた場合でも、車両の積載物などの影響により、車両の重心位置が適正でない場合があり、４つの支承アームにより車両を支えるので、荷重バランスが大きく異なる場合には、車両落下事故を引き起こす場合がある。
【００１０】
また、設置した車両の荷重重心が適正でなかった場合や、リフトアップ中に、車両が大きな振動が加わったり、車両から重い部品等を外した場合など、大きく車両の重量配分が変化すると、車両の落下事故を引き起こす場合がある。
【００１１】
また、車両をリフトアップし、車両の下で、車業者が作業を行っている時に、例えば、車業者以外の者が、リフト装置を操作してしまい、リフトが昇降されると大きな事故につながる場合がある。
【００１２】
また、リフト装置に対して適正な保守が行われなかったり、リフト装置に異常が生じた場合に、そのまま使用を続けると事故を引き起こす場合がある。
【００１３】
本発明は、上記問題点を解消するもので、作業者が安全かつ効率的に整備作業やリフトアップ作業ができるリフト装置を提供することを目的とする。
【課題を解決するための手段】
【００１４】
本発明は前記の目的を達成すべく、本発明の車両の点検整備用リフト装置は、車両を昇降させる点検整備用のリフト装置本体と、表示装置と、複数の車両の車両リフトアップ位置などの車両データをそれぞれ記憶した演算記憶処理装置と、前記リフト装置本体により昇降される車両の車両リフトアップ位置を前記演算記憶処理装置から取得し、前記表示装置に表示させる手段と、前記車両の現在位置を前記表示装置に表示させる手段とよりなり、前記表示装置に、前記車両の車両リフトアップ位置と現在位置とを表示させることにより、前記車両の車両リフトアップ位置への誘導を補助することを特徴とする。
【００１５】
また、本発明の車両の点検整備用リフト装置は、車両を昇降させる点検整備用のリフト装置本体と、表示装置と、複数の車両の車両データをそれぞれ記憶した演算記憶処理装置と、前記リフト装置本体により昇降される車両の車両データを前記演算記憶処理装置から取得し、前記表示装置に表示させる手段とよりなることを特徴とする。
【００１６】
また、前記車両データは、前記車両の車両リフトアップ位置、又は、リフトポイント位置、又は、前記リフト装置に装着する、車両を下から支持する受金であることを特徴とする。
【００１７】
また、本発明の車両の点検整備用リフト装置は、車両を昇降させる点検整備用のリフト装置本体と、表示装置と、前記リフト装置本体により昇降される車両のリフトポイントを撮像し、前記表示装置に表示させる手段とを有することを特徴とする。
【００１８】
また、前記リフト装置の所望の場所に、人がいるか否かを検知する検知装置と、該検知装置により人を検知した場合に、前記リフト装置が作動しないように規制する規制手段とを更に有することを特徴とする。
【００１９】
また、前記リフト装置の前記車両を支持する支持部を、前記車両のリフトポイントの所望の位置に移動させる移動手段を有することを特徴とする。
【００２０】
また、本発明の車両の点検整備用リフト装置は、車両を昇降させる点検整備用のリフト装置本体と、表示装置と、複数の車両の車両特定情報と対にして、対応する車両の車両データをそれぞれ記憶した記憶部を有する演算記憶処理装置と、該演算記憶処理装置に設けた、前記リフト装置本体により昇降させる車両の車両特定情報から、該車両特定情報に対にして記憶した車両データを取得する車両データ取得手段と、該車両データ取得手段により得られた車両データを前記表示装置に表示させる表示手段とよりなることを特徴とする。
【００２１】
また、前記車両の現在位置を取得する車両位置情報取得手段を更に設けると共に、該前記車両の現在位置を表示させる表示手段を更に設けたことを特徴とする。
【００２２】
また、前記リフト装置本体により昇降する車両の車両特定情報を取得する車両特定手段を更に有することを特徴とする。
【発明の効果】
【００２３】
本発明の車両用の整備点検用リフト装置によれば、作業者が安全にかつ効率よくリフトアップ整備作業を行うことができる。
【図面の簡単な説明】
【００２４】
【図１】本発明の車両の点検整備用リフト装置の構成図である。
【図２】本発明の車両の点検整備用リフト装置のリフト装置本体の正面図である。
【図３】本発明の車両の点検整備用リフト装置のリフト装置本体の平面図である。
【図４】本発明の車両の点検整備用リフト装置の鏡装置の斜視図である。
【図５】本発明の車両の点検整備用リフト装置の演算記憶処理装置の説明図である。
【図６】本発明の車両の点検整備用リフト装置の表示装置の説明図である。
【図７】本発明の車両の点検整備用リフト装置の表示装置の他の説明図である。
【図８】本発明の車両の点検整備用リフト装置の表示装置の更に他の説明図である。
【図９】本発明の車両の点検整備用リフト装置の表示装置の更に他の説明図である。
【図１０】本発明の車両の点検整備用リフト装置の表示装置の更に他の説明図である。
【発明を実施するための形態】
【００２５】
以下、図１〜図１０によって本発明の実施例を説明する。
【実施例１】
【００２６】
（１．全体の構成図の説明）
【００２７】
図１は、本発明の車両の点検整備用リフト装置の全体構成図を示し、１は、車両を点検や整備のために、車両を昇降するためのリフト装置本体、２は、前記リフト装置本体１に接続された、該リフト装置本体１等の各種動作を制御するための制御装置、３は、前記制御装置２に接続されたパソコンなどの演算記憶処理装置、４は、前記演算記憶処理装置３に無線又は有線で接続された、該演算記憶処理装置３の表示装置、５は、前記表示装置４と、例えばＩＯＴ接続された、パソコンなどの端末装置である。
【００２８】
（２．リフト装置本体１の説明）
【００２９】
前記リフト装置本体１は、例えば、図２及び図３に示すように、門型の２柱式のアーム式リフト装置かなり、該リフト装置本体１は、左右の支柱１ａ、１ａと、該左右の支柱１ａ、１ａの各上端を連結した連結ビーム１ｂと、前記各支柱１ａに沿って昇降する、例えば油圧装置により昇降する昇降体１ｃと、前記左右の各昇降体１ｃの前後部にそれぞれ回動可能に枢着した伸縮可能な支承アーム１ｄとからなり、該各支承アーム１ｄの先端部に受金（アタッチメント）などからなる支持部１ｅが接続して設けられる。なお、該支持部１ｅは、前記支承アーム１ｄに対して固定、或いは、回動可能に設けられる。
【００３０】
なお、前記支承アーム１ｄの前記昇降体１ｃに対する回動や、該支承アーム１ｄの伸縮は、作業者が手動で回動や伸縮させる以外に、それぞれサーボなどで旋回させる支承アーム回動装置や、ネジなどで伸縮させる伸縮装置を設けて、自動で回動や伸縮するようにしてもよい。
【００３１】
また、前記支持部１ｅの前記支承アーム１ｄに対する回動も、作業者が手動で回動させる以外に、前記支承アーム１ｄの先端部等に、該支持部の回動装置を設けて、自動で回動するようにしてもよい。
【００３２】
（２．１．車両用撮像手段６の説明）
【００３３】
また、図１や図２に示すように、例えば、前記リフト装置本体１の連結ビーム１ｂの中間部に、カメラやビデオなどの車両用撮像手段６が設けられる。
【００３４】
該車両用撮像手段６は、点検整備する車両のナンバープレートに記載された自動車登録番号や、車両の形状（一部を含む）や、その車両に別途貼付などして設けられた、所望の文字・図形・記号等が記載された車両特定記載部などの車両を特定できる車両特定情報を撮像するものである。
【００３５】
そして、該撮像された画像から、後述する演算記憶処理装置３の車両特定情報取得部１０により、前記車両の車両特定情報を取得し、そして、後述する演算記憶処理装置３の車両データ取得部（車両データ取得手段）１１により、該車両特定情報と対にして前記演算記憶処理装置３に予め記憶された、前記車両の車両リフトアップ位置や、車種情報や、所有者情報などの各種の車両データを取得できるようにする。
【００３６】
そして、該取得した車両データを、後述する前記演算記憶処理装置３の表示部１７により、前記表示装置４に表示するようにし、例えば、整備しようとする車両の確認が容易にできるようにする。
【００３７】
なお、例えば、前記車両用撮像手段６と前記車両特定情報取得部１０とにより、車両特定手段が構成される。
【００３８】
また、前記車両用撮像手段６は、前記車両の上面（一部を含む）などの車両位置情報を撮像するもので、該撮像された画像から、後述する演算記憶処理装置３の車両位置情報取得部１２により、前記リフト装置本体１が設置された床面に対する車両の現在位置を取得するようにする。
【００３９】
そして、後述するように、後述する前記演算記憶処理装置３の表示部１７により、前記表示装置４に、車両リフトアップ位置（車両停止位置）と、車両の現在位置とを表示させ、整備する車両を、リフト装置のリフトアップ位置に容易に誘導できるようにする。
【００４０】
なお、例えば、前記車両用撮像手段６と前記車両位置情報取得部１２とにより、車両位置情報取得手段が構成される。
【００４１】
なお、上記車両撮像手段６は、例えば、２つのカメラ等を用いて、それぞれ前記車両特定情報と、前記車両位置情報とをそれぞれ撮像するようにしてもよい。
【００４２】
また、前記車両撮像手段６は、点検整備する車両の上方、例えば、前記連結ビーム１ｂに設けるのが好ましいが、支柱１ａや、それ以外の場所に設けるようにしてもよい。
【００４３】
（２．２．リフトポイント用撮像手段７の説明）
【００４４】
また、前記各支承アーム１ｄの先端部又は支持部１ｅには、それぞれカメラやビデオなどのリフトポイント用撮像手段７を固定又は着脱自在に設ける。
【００４５】
前記各リフトポイント用撮像手段７は、車両リフトアップ位置に停止した、点検整備される車両の下面に形成された、それぞれ対応するリフトポイントを撮像するものであり、該撮像された画像は、後述する演算記憶処理装置３のリフトポイント用画像取得部１３によりリフトポイント用画像を取得するようにする。そして、後述する前記演算記憶処理装置３の表示部１７により、前記表示装置４に該画像が表示されるようになる。
【００４６】
そして、後述するように、前記表示装置４に表示された画像から、作業者が手動で、或いは、自動で、前記支承アーム１ｄを回動、伸縮させ、また必要に応じて、受金などの支持部１ｅを回動して、各受金（支持部１ｅ）が前記リフトポイントを支持できるように、該支持部１ｅを、前記車両の各リフトポイントの下方に位置できるようにする。
【００４７】
なお、前記リフトポイント用撮像手段７と前記リフトポイント用画像取得部と前記表示部１７とにより、リフトポイント表示手段が構成される。
【００４８】
なお、前記表示装置４に表示されたリフトポイント画像と、前記支持部１ｅとの位置関係（回転関係も含む）が分かるように、前記表示部１７により、前記表示装置４に前記支持部１ｅを表示するようにしてもよい。
【００４９】
また、前記各支承アーム１ｄの先端部又は支持部１ｅに、前記リフトポイント用撮像手段７を設ける代わりに、例えば、図４に示すように、固定部８ａと、該固定部８ａに設けた照明部８ｂと、前記固定部８ａに傾動自在に設けた反射鏡部８ｃとよりなる鏡装置８を、前記各支承アーム１ｄの先端部又は支持部１ｅに、固定又は着脱自在に設けても良い。
【００５０】
前記固定部８ａは、前記支承アーム１ｄの先端部や支持部１ｅに固定又は着脱自在に設けられる固定手段を有する。
【００５１】
前記照明部８ｂは、車両の下面のリフトポイントを照らすもので、例えば、前記固定部８ａの上面に１又は複数設けられる。
【００５２】
前記鏡部８ｃは、作業者が車両外の側面側から該鏡部８ｃを見た時、リフトポイントが映るように、前記固定部８ａに対して傾斜角度が設定される。
【００５３】
（２．３．荷重センサーの説明）
【００５４】
また、前記各支承アーム１ａ又は支持部１ｅ又は前記昇降体１ｃ又は前記リフト装置本体１に、それぞれ荷重を計測する、ロードセルなどの荷重センサー（図示せず）を設け、４か所の荷重状態を、記録したり、適正な荷重であるか否かをチェックしたりして、監視するようにし、また、荷重センサーが異常な荷重を検出したときは、警報を発するようにしてもよい。なお、前記荷重センサーは着脱自在又は埋め込み式でもよい。
【００５５】
（２．４．人感センサーの説明）
【００５６】
また、例えば、図２または図３に示すように、前記リフト装置本体１の支柱１ａに、人感センサー９を設け、前記リフト装置本体１の支柱１ａ間、又は、リフト装置本体１の作業場への人の有無を感知するようにし、また、後述するように、人を感知した場合には、リフト装置が作動しないようにする、例えば、リフト装置が作動しないように規制する規制手段を設ける。
【００５７】
なお、前記人感センサー９は、危険な場所にいる人の有無を感知できれば、支柱１ａ以外の他の場所に設けるようにしても良い。
【００５８】
（２．５．自己診断装置）
【００５９】
また、前記リフト装置本体１に、自己診断装置を設ける（図示せず）。該自己診断装置は、例えば、リフト装置の使用回数（時間）、リレー等の接点溶着の有無、油量、油圧、エアー圧等を記録したり、これらの情報等を基に、適正な保守が行われているか否かを判断したり、リフト装置の異常を検知したりし、前記リフト装置本体１を監視し、適正な保守、修理等を行うようにする。
【００６０】
（２．６．その他）
【００６１】
前記リフト装置本体１には、前記車両用撮像手段６、リフトポイント用撮像手段７、荷重センサー、人感センサー９、自己診断装置の全てを設けても良く、又は、それぞれ単体で設けても良く、任意の組み合わせで設けるようにしてもよい。
【００６２】
（３．制御装置２の説明）
【００６３】
前記制御装置２は、前記リフト装置本体１を駆動するための制御装置や、前記各撮像手段６，７の制御装置や、前記荷重センサー・前記人感センサー９の各種センサーの制御装置や、自己診断装置の制御装置よりなる。
【００６４】
なお、前記制御装置２は、前記演算記憶処理装置３内に設けるようにしてもよい。
【００６５】
（４．演算記憶処理装置３の説明）
【００６６】
前記演算記憶処理装置３は、例えば、図５に示すように、記憶部３ａと、各種演算処理を行う中央演算部３ｂと、前記表示装置４とデータを送受信する送受信部３ｃとよりなる。
【００６７】
前記記憶部３ａは、各種情報を記憶する装置であり、該記憶部３ａには、予め、車両の自動車登録番号など車両特定情報と、該車両特定情報に対応する車両データが対にして記憶される。
【００６８】
前記車両データとしては、対応する車両ごとに、例えば、車種情報や、所有者情報や、顧客情報や、車両リフトアップ位置や、リフトポイント形状情報や、リフトポイント位置情報や、車重バランス情報、受金種類情報や、車両整備マニュアル情報や、車両メンテナンス情報などがある。
【００６９】
また、前記記憶部３ａには、予め、リフト装置本体１のリフト可能な荷重能力情報等のリフト装置マニュアルや、リフト装置メンテナス情報などのリフト装置本体１のデータも記憶されている。
【００７０】
また、中央演算部３ｂは、例えば、車両特定情報取得部１０と、車両データ取得部１１と、車両位置情報取得部１２と、リフトポイント用画像取得部１３と、荷重情報取得部１４と、人有無情報取得部１５と、診断取得部１６と、表示部１７とよりなる。
【００７１】
なお、リフト装置本体１や、各支承アーム１ｄが自動で動く場合には、リフト装置本体を制御し、駆動するリフト装置本体制御駆動部や、該支承アームを制御し、駆動する支承アーム制御駆動部からなる制御駆動部１８を別途設けてもよい。
【００７２】
前記車両特定情報取得部１０は、前記車両用撮像手段６により、整備される車両の車両特定情報を撮像した画像から、画像処理等を行って車両特定情報を取得し、該車両特定情報を、必要に応じて、前記記憶部３ａに記憶させるように構成されている。
【００７３】
また、前記車両データ取得部１１は、前記取得された車両特定情報から、該車両特定情報と対にして前記記憶部３ａに記憶されている車両データを取得し、該車両データを、必要に応じて、前記記憶部３ａに記憶させるように構成されている。
【００７４】
また、前記車両位置情報取得部１２は、前記車両撮像手段６により、前記車両の車両位置情報を撮像した画像から、画像処理等を行って、車両の現在位置を取得し、該車両の現在位置を、必要に応じて、前記記憶部３ａに記憶させるように構成されている。
【００７５】
また、前記リフトポイント用画像取得部１３は、前記リフトポイント用撮像手段７により撮像した画像を取得し、該画像を、必要に応じて、前記記憶部３ａに記憶させるように構成されている。なお、該リフトポイント用画像取得部１３を設けることなく、直接、前記表示装置４に表示させるようにしてもよい。
【００７６】
また、前記荷重情報取得部１４は、前記荷重センサーからの荷重を取得し、該荷重情報を、必要に応じて、前記記憶部３ａに記憶させるように構成されている。
【００７７】
また、前記人有無情報取得部１５は、前記人感センサーからの人の有無を取得し、該人の有無情報を、必要に応じて、前記記憶部３ａに記憶させるように構成されている。そして、例えば、人有無情報取得部１５の情報から、前記リフト装置本体１の駆動を規制する規制部が制御されるようになる。
【００７８】
また、前記診断取得部１６は、前記自己診断装置からの各種の診断情報を取得し、該診断情報を必要に応じて、前記記憶部３ａに記憶させるように構成されている。
【００７９】
また、前記表示部１７は、該中央演算部３ｂ及び記憶部３ａにより取得された各種情報を、前記表示装置４に所望の表示形式で表示させるように構成される。例えば、前記表示装置４に、前記車両位置情報から、車両の現在位置を示すために、車両の平面画像を表示させると共に、前記停止位置情報から、該車両がリフトすべき停止位置として矩形状等の枠画像を表示させるようにする。
【００８０】
また、該表示部１７は、状況に応じて、リフトポイント位置情報や、受金情報や、荷重情報を、所望の表示形式で、表示させるようにする。
【００８１】
（５．表示装置４の説明）
【００８２】
前記表示装置４は、図１に示すように、画面表示部４ａを有し、該表示装置４は、前記演算記憶処理装置３から取得した各種情報を前記送受信部３ｃを介して、前記画面表示部４ａに表示させるようにする。
【００８３】
また、前記表示装置４は、前記画面表示部４ａに各種選択画面を表示できるようにして、これを操作することにより、前記演算記憶処理装置３を操作できる。
【００８４】
前記表示装置４としては、タブレットなどの携帯端末装置や、パソコンのモニターや、眼鏡型・腕時計型・指輪型などのウェアブル端末などがある。
【００８５】
なお、前記表示装置４に、他のパソコンなどの端末装置と、例えばＩＯＴ接続のための接続手段を設けてもよい。
【００８６】
（６．使用方法と効果の説明）
【００８７】
次に、本発明の車両用の整備点検用リフト装置の使用方法と効果を説明する。
【００８８】
（６．１．点検整備車両の確認）
【００８９】
点検整備するための車両を、リフト装置のリフトされるべき停止位置（車両リフトアップ位置）に進入させる前に、前記車両用撮像装置６により、ナンバープレートに表示された自動車登録番号などの車両特定情報を撮像し、該撮像した画像から、前記演算記憶処理装置３の車両特定情報取得部１０により、画像処理等をして車両特定情報を取得し、そして、前記車両データ取得部１２により、前記記憶部３ａに、該車両特定情報と対に記憶されている、例えば、車種情報や顧客情報や、車両整備マニュアル情報等を取得し、前記表示部１７により、前記車両データのうち、車両確認に必要な情報を、前記表示装置４に表示させるようにする。
【００９０】
そして、前記車両データと、実際に整備される車両とが一致しているかどうかを判断する。
【００９１】
なお、前記車両特定情報取得手段により、車両特定情報が取得できない場合には、作業者が、前記演算記憶処理装置に別途入力するようにしてもよい。
【００９２】
また、車両特定情報と対となるデータがない場合には、例えば、別途、車種情報を入力し、該車種情報に関連する車両データを取得するようにする。
【００９３】
（６．２．入庫作業）
【００９４】
前記車両データと、整備される車両が一致している場合には、車両をリフト整備ストールの入庫作業を行う。
【００９５】
即ち、一致していることが確認できた後は、例えば、前記表示装置４を操作して、前記画面表示部４ａに進入ガイドモード画面を表示するようにする。
【００９６】
該画面表示部４ａには、図６に示すように、前記車両データの車両リフトアップ位置から、前記表示部１６より、例えば、リフト装置本体１の外形形状と、車両リフトアップ位置を示す矩形状の枠画像１９を表示するようにすると共に、前記演算記憶処理装置３の車両位置情報取得部１１より、車両位置情報を取得し、そして、前記表示部１７により、車両の現在位置を示すために、車両の平面画像２０を表示するようにする。
【００９７】
なお、前記画面表示部には、「進行中」の文字や、矢印などを同時に表示させるようにしてもよい。
【００９８】
また、該画面表示部４ａには、車両データとして、自動車登録番号（車両Ｎｏ．）や顧客情報を表示させるようにしてもよく、また、前記表示装置４を操作して、別画面として表示できるようにしてもよい。
【００９９】
そして、前記車両の運転者、又は、車両を誘導する者は、例えば、前記表示装置４を見ながら、車両を運転し（又は、車両を誘導し）、リアルタイムで動く前記車両の平面画像２０が前記枠画像１９内に収まるように、車を移動させて停止し、これにより入庫作業が終了する。
【０１００】
なお、図７に示すように、前記表示部１７により、リフト装置本体１の形状を模式化したり、枠画像を赤に表示させるようにしてもよい。
【０１０１】
（６．３．車両受金のセットの説明）
【０１０２】
前記車両を車両リフトアップ位置に停止させた後、前記表示装置４を操作して、前記画面表示部４ａを、車両受金セットモード画面を表示させるようにする。
【０１０３】
なお、前記表示装置４を操作することなく、前記車両の平面画像２０が枠画像１９に一致した時に、自動で、車両受金セットモード画面を表示するようにしてもよい。
【０１０４】
かかる車両軸受セットモード画面は、例えば、図８に示すように、前記画面表示部４ａに、前記表示部１７により、前記取得した車両データのうち、受金に関する情報である、例えば、車両のリフトポイント位置や、リフトポイント形状や、支承アームの先端部に取り付ける適正な受金及び付属品等を表示させるようにする。
【０１０５】
なお、図９に示すように、前記表示部１７により、リフト装置本体１や車両の外形画像を省略し、受金情報のみ表示させるようにしてもよい。
【０１０６】
そして、これを見た作業員は、前記支承アーム１ｄの先端部に適正な受金を取り付け、そして、作業員は、前記支承アーム１ｄを回動や伸縮させて、前記車両の下側に移動させ、大まかに、リフトポイントの下方に前記支承アームの先端部を位置させるようにする。
【０１０７】
そして、前記表示装置４を操作して、前記画面表示部４ａを、リフトポイント表示画面を表示させるようにする。
【０１０８】
該リフトポイント表示画面には、前記リフトポイント用撮像手段８により撮像された画像が、前記リフトポイント用画像取得部１２及び表示部１７により、車両の下面のリフトポイントの画像がリアルタイムで、表示されるようになる。なお、必要に応じて、リフトポイントと受金との位置関係が分かるように、受金の上面形状等の画像も表示されるようにする。
【０１０９】
なお、前記画面表示部４ａは、４分割して、各リフトポイント画像を表示するようにしてもよく、表示切替により、各リフトポイント画像がそれぞれ表示されるようにしてもよい。
【０１１０】
そして、作業者は、該画面表示部４ａを見ながら、前記受金が、前記リフトポイントに位置するように、支承アーム１ｄを回動し、伸縮し、必要に応じて、受金を回転させて、該軸受が、該リフトポイントの下方に位置するように調整する。
【０１１１】
なお、前記リフトポイント情報及び、前記リフトポイント画像と受金情報等から、該受金が、前記リフトポイントの下方に位置するよう、前記支承アームの回動、伸縮、受金の回動を自動で行うようにしてもよい。なお、必要に応じて他の車両データや車両位置情報をもちいる。
【０１１２】
また、リフトポイント用撮像手段７を用いずに、鏡装置８を、前記受金上面に固定し、作業者が、前記鏡装置の照明装置を点灯させて、反射鏡部に映ったリフトポイントを見ながら、前記支承アームを回動、伸縮等させて、前記受金を、リフトポイントの下方に位置するようにしてもよい。
【０１１３】
（６．４．車両リフトアップの説明）
【０１１４】
各受金が、それぞれ各リフトポイントの下方に位置された場合には、表示装置４を操作して、前記画面表示部４ａを、リフトアップモード画面を表示させるようにする。
【０１１５】
該リフトアップモード画面には、例えば、図１０に示すように、前記荷重センサーからの情報を、前記荷重情報取得部１４と前記表示部１７とにより、各軸受における荷重が表示されるようにする。
【０１１６】
作業者は、リフトを上昇させて、前記受金によりリフトポイントを支持・支承するようにし、そして、車両のタイヤが地面が浮く程度に上昇させ停止させる。
【０１１７】
そして、各受金にかかる荷重を、前記荷重センサーにより検知し、前記荷重情報取得部１４が取得し、そして、該荷重情報取得部１４は、計測した４か所の荷重が、リフト装置本体１の許容範囲内の荷重であるか否かを判断し、また、荷重差が、許容範囲内の荷重であるか否かを判断し、許容範囲内の場合には、リフトアップ作業が継続できるようにし、必要に応じて、前記画像表示部に表示させ、許容範囲外の場合には、車両落下の危険の可能性があるため、リフトアップできないようにすると共に、警告音を出したり、例えば、図１０に示すように、前記画像表示部に、危険である旨を表示するようにする。
【０１１８】
なお、車両のタイヤが地面が浮く程度に上昇した後に、リフトを停止することなく、即座に、各荷重を取得し、荷重が許容範囲外の場合には、リフトの上昇を即座に停止するようにしてもよい。
【０１１９】
また、リフトアップ中には、常時、前記荷重情報取得部１４は、４点の荷重を取得すると共に、その荷重（又は荷重差）が許容範囲内であるかを演算し、リフトアップ中に、４点の荷重差が大きくなり、車両落下の危険性がある場合には、リフトの昇降作動を停止又は抑制するようにしたり、警告音を発したり、また、前記画面表示部に、危険である旨を表示するようにしてもよい。
【０１２０】
（６．５．人感センサーの説明）
【０１２１】
また、リフトアップ中においては、人感センサーを作動させ、車両の下など、所望の範囲に人が入った場合には、前記人感センサーが感知して、リフト操作を行っても、リフトが作動しないようにする。
【０１２２】
（６．５．その他）
【０１２３】
前記表示画面には、常時、或いは、前記表示装置４の操作により、前記対に記憶された車両データから、整備を行っている車両の整備マニュアルを表示させたり、また、リフト装置のオイル量などの保守データなどを表示させるようにしてもよい。
【産業上の利用可能性】
【０１２４】
本発明の車両用の点検整備用リフト装置は、車検整備場や、車両整備工場等に用いられる。
【符号の説明】
【０１２５】
１      リフト装置本体
１ａ    支柱
１ｂ    連結ビーム
１ｃ    昇降体
１ｄ    支承アーム
１ｅ    支持部
２      制御装置
３      演算記憶処理装置
３ａ    記憶部
３ｂ    中央演算部
３ｃ    送受信部
４      表示装置
４ａ    画面表示部
５      端末装置
６      車両用撮像手段
７      リフトポイント用撮像手段
８      鏡装置
８ａ    固定部
８ｂ    照明部
８ｃ    鏡部
９      人感センサー
１０    車両特定情報取得部
１１    車両データ取得部
１２    車両位置情報取得部
１３    リフトポイント用画像取得部
１４    荷重情報取得部
１５    人有無情報取得部
１６    診断取得部
１７    表示部
１８    駆動部
１９    枠画像
２０    車両の平面画像
【図１】
2018090374.tif 000003
【図２】
2018090374.tif 000004
【図３】
2018090374.tif 000005
【図４】
2018090374.tif 000006
【図５】
2018090374.tif 000007
【図６】
2018090374.tif 000008
【図７】
2018090374.tif 000009
【図８】
2018090374.tif 000010
【図９】
2018090374.tif 000011
【図１０】
2018090374.tif 000012